(57)【要約】【課題】  コインランドリーの自動洗濯乾燥機に後から簡単に取り付けられる構造の蓋押え込み手段を設け、利用者の暗証番号に応じてのみ動作する構成とし、洗濯物の盗難防止可能、且つ安価な盗難防止機構を有する自動洗濯乾燥機の提供。【解決手段】  コインランドリーで使用する自動洗濯乾燥機に係り、利用者用の操作部１を備え、該操作部１から暗証番号を入力させ、暗証番号の入力に応じて蓋２０の表面もしくは蓋の把手２２を押圧または開放して開閉可能な蓋押え込み手段７を備えた自動洗濯乾燥機であって、前記暗証番号を記憶する記憶手段１０ａを有し、前記暗証番号の入力・再入力に応じて前記蓋押え込み手段７が暗証番号の入力ごとに開閉動作を交互に行う構成としたことを特徴とする。【選択図】        図１
2007068701.tif 000002
【特許請求の範囲】
【請求項１】
コインランドリーで使用する自動洗濯乾燥機に係り、利用者用の操作部を備え、該操作部から暗証番号を入力させ、暗証番号の入力に応じて蓋の表面もしくは蓋の把手を押圧または開放して開閉可能な蓋押え込み手段を備えた自動洗濯乾燥機であって、前記暗証番号を記憶する記憶手段を有し、前記暗証番号の入力・再入力に応じて前記蓋押え込み手段が暗証番号の入力ごとに開閉動作を交互に行う構成としたことを特徴とする盗難防止機構を有する自動洗濯乾燥機。
【請求項２】
蓋押え込み手段は、蓋の表面もしくは蓋の把手に当接して押圧する当接部と、該当接部を先端に有する棹状体を摺動可能に支持する電磁コイルと、該電磁コイルを支持するアーム部とから成り、アーム部は蓋の表面に沿って回動可能に回動支軸を備えて成ることを特徴とする請求項１記載の盗難防止機構を有する自動洗濯乾燥機。
【発明の詳細な説明】
【技術分野】
【０００１】
本発明は、例えばコインランドリーで使用される盗難防止機構を有する自動洗濯乾燥機に関する。
【背景技術】
【０００２】
例えば、従来コインランドリーは、一般的には無人の状態で運用されるようになっているのが通例である。
【０００３】
然しながら、コインランドリーが無人であるために洗濯物の盗難その他のトラブルが発生し、利用者が迷惑を被るという実態がある。
【０００４】
これらのトラブルに対応策が考えられ、例えば、「公衆電話回線を使用し無人店舗と本部とを接続し、遠隔監視、遠隔操作を行い、店舗にはテレビ電話、ロボットカメラ、洗濯乾燥機等を配置し、それらはマルチコントローラへ接続され、店舗側には利用者が押す押しボタンスイッチがあり、本部と連絡が出来るようになっている。本部は本部側のテレビ電話から画像を見ながら適切な対応をとることが出来る。」という発明が開示されている（例えば、特許文献１参照。）。
【特許文献１】特開２００５−２８０６６号公報
【発明の開示】
【発明が解決しようとする課題】
【０００５】
利用者が洗濯を開始してから乾燥終了するまでの時間をその場で待っている場合は少なく、ランドリーの場所と離れた例えば自宅、コンビニ、喫茶店、本屋などで時間を費やし、自分の都合の良い時間に洗濯が終了した洗濯物を回収しに赴く場合が多く、この場合、洗濯物の盗難に合う場合が発生する。
【０００６】
本発明は、上述の事情に鑑み特に洗濯物の盗難防止という観点から成されたもので、コインランドリーの自動洗濯乾燥機に後から簡単に取り付けられる構造の蓋押え込み手段を設け、利用者の暗証番号に応じてのみ動作する構成とし、洗濯物の盗難防止可能、且つ安価な盗難防止機構を有する自動洗濯乾燥機を提供することを目的とする。
【課題を解決するための手段】
【０００７】
本発明は、下記構成を備えることにより上記課題を解決できるものである。
【０００８】
（１）コインランドリーで使用する自動洗濯乾燥機に係り、利用者用の操作部を備え、該操作部から暗証番号を入力させ、暗証番号の入力に応じて蓋の表面もしくは蓋の把手を押圧または開放して開閉可能な蓋押え込み手段を備えた自動洗濯乾燥機であって、前記暗証番号を記憶する記憶手段を有し、前記暗証番号の入力・再入力に応じて前記蓋押え込み手段が暗証番号の入力ごとに開閉動作を交互に行う構成とした盗難防止機構を有する自動洗濯乾燥機。
【０００９】
（２）蓋押え込み手段は、蓋の表面もしくは蓋の把手に当接して押圧する当接部と、該当接部を先端に有する棹状体を摺動可能に支持する電磁コイルと、該電磁コイルを支持するアーム部とから成り、アーム部は蓋の表面に沿って回動可能に回動支軸を備えて成る前項（１）記載の盗難防止機構を有する自動洗濯乾燥機。
【発明の効果】
【００１０】
本発明によれば、コインランドリーの自動洗濯乾燥機に後から簡単に取り付けられる構造の蓋押え込み手段を設け、利用者の暗証番号に応じてのみ動作する構成とし、洗濯物の盗難防止可能、且つ安価な盗難防止機構を有する自動洗濯乾燥機を提供することが出来る。
【発明を実施するための最良の形態】
【００１１】
以下に本発明に係る盗難防止機構を有する自動洗濯乾燥機の実施の形態を説明する。
【００１２】
図１は、本発明に係る実施形態の一構成例を示す設明図、（ａ）は操作部の一構成例を示す配置図、（ｂ）は一構成例を示すブロック図、図２は、本発明に係る蓋押え込み手段の要部構成を示す外観斜視図、図３は、本発明に係る蓋押え込み手段の取り付け状態を示す説明図、（ａ）は正面図、（ｂ）は上から眺めた一部破断平面図、図４は、本発明に係る蓋押え込み手段の開閉動作の説明図、（ａ）は閉動作にて蓋を押圧した状態を示す側断面図、（ｂ）は開動作にて蓋を開けられる状態を示す側断面図、図５（ａ）、（ｂ）は、図４（ａ）、（ｂ）の他の実施例を示す図である。
【実施例】
【００１３】
コインランドリーで使用する自動洗濯乾燥機に係り、利用者用の操作部を備え、該操作部１のテンキー（図示）から暗証番号を入力させ、暗証番号の入力に応じて蓋２０の表面もしくは蓋の把手２２を押圧または開放して開閉可能な蓋押え込み手段７を備えた自動洗濯乾燥機であって、前記暗証番号を記憶する記憶手段１０ａを有し、前記暗証番号の入力・再入力に応じて前記蓋押え込み手段７が暗証番号の入力を行い、確認ボタン６を押すごとに開閉動作を交互に行う構成としてある。
【００１４】
蓋押え込み手段７は、蓋２０の表面もしくは蓋の把手２２に当接して押圧する当接部７ａと、該当接部７ａを先端に有する棹状体７ｂを摺動可能に支持する電磁コイル７ｄと、該電磁コイル７ｄを電磁コイル７ｄを包含した筐体７−１ごと支持するアーム部７ｅとから成り、アーム部７ｅは蓋２０の表面に沿って回動可能に回動支軸７ｆを備え、取り付け部材８に連結され、取り付け部材８は、洗濯乾燥機本体ＷＭの側面所定位置に係合して穿設された取り付け孔８ａを介して締結用ボルト８ｂで取り付けられ、更にこの締結用ボルト８ｂが簡単に悪意をもって取外すことが出来ないように、締結用ボルト８ｂに係合する封印キャップ９を被嵌する構成となっている。
【００１５】
また、蓋押え込み手段７は、図２に示すように、矢印イに沿って回動自在であり、最初に洗濯物を入れる時には、暗証番号を入力する前であるので、回動支軸７ｆを中心にして自重で下方にぶら下がった状態であり、洗濯物を入れ終わり、コインランドリーの規定に従って所定のコインを投入して蓋を閉め、次に操作部１のテンキー１１を用いて暗証番号４桁を入力すると、例えばＬＥＤランプ２が順次点灯し、４個のランプが点灯したのを確認して確認ボタン６を押すことで、電線ＥＷで接続された蓋押え込み手段７の電磁コイル７ｄがＯＮして、図４（ａ）に示すようにプランジャー７ｇを介して棹状体７ｂが図中矢印ハの方向に移動し、棹状体７ｂの先端に設けられた、例えばゴム状の弾性体からなる当接部７ａが洗濯機の蓋２０の表面に当接押圧して、蓋２０に傷をつけることなく、弾力的且つ確固に固定することが出来る。尚また、確認ボタン６を押す前に利用者自身が蓋押え込み手段７のアーム部７ｅを持ってほぼ水平に維持するようにして確認ボタン６を押すようにする。尚、蓋押え込み手段７のアーム部７ｅの長さに応じてガラス窓部２１以外の蓋２０の表面に当接し得るのであれば、水平に拘泥するものではない。
【００１６】
図４（ｂ）は、図４（ａ）の逆の状態を示し、電磁コイル７ｄがＯＦＦで棹状体７ｂが図中矢印ニの方向に移動し、棹状体７ｂの先端に設けられた当接部７ａが洗濯機の蓋２０の表面から離れ（図４（ｂ）参照）、自重で蓋押え込み手段７は、図３（ａ）の二点鎖線で示す位置へ矢印ロに沿って回動し、ぶら下がる状態となり、蓋２０を開けて中の洗濯済みの洗濯物を取り出すことが出来る。
【００１７】
尚、図１（ｂ）は、機能を説明する為の一構成例を示すブロック図であり、メモリ（記憶部）１０ａ、訂正３、取消し４、リセット５、テンキー１１、暗証番号に対応するＬＥＤ発光体（ランプ）２、警報ブザーＢｚの各手段を、夫々バス１００を介してＣＰＵ（中央処理装置）１０に接続している。
【００１８】
１ａは暗証番号の表示ラベル、３は暗証番号を入力し直す場合の訂正ボタン、４は取り消しボタン、５はクリアーまたはリセットボタンである。また、２１は、蓋２０の透明なガラス窓部である。
【００１９】
操作部１は、洗濯乾燥機本体ＷＭの所定部位に粘着テープ等で貼着できる。
【００２０】
アーム７ｅの長さは、洗濯乾燥機本体の大きさ寸法に合わせて調節することができる。また、当接部７ａは、蓋の把手に当接する場合は、把手の形状に合わせて形成することが出来る。
【００２１】
図５（ａ）、（ｂ）は、蓋押え込み手段７の他の実施例を示した説明図であり、当接部７ａに直結する棹状体７ｂにコイル状の緩衝バネ７ｃを併設した場合であり、この緩衝バネ７ｃは当接部７ａを蓋側に押し付ける方向に付勢して設けてあるので、緩衝バネ７ｃの作用により、当接部７ａは自身の弾性力に加えて蓋２０の表面に更に弾力的に当接押圧するように構成した一例である。当接部７ａがゴム状弾性体である場合、この弾性力のみでも良く、上述の実施例のように、緩衝バネ７ｃを介在させて弾性力を高めるようにしても、どちらでも良い。
【００２２】
また、第三者が他人の洗濯物を盗もうとして、暗証番号をいいかげんに入力した場合は、例えば３回以上繰り返した時に警報ブザーＢｚを発するようにするなど、適宜回数を設定することが出来る。
【００２３】
尚また、暗証番号入力式以外に、指紋認証等の生体情報による認証システムとしても良い。
【００２４】
更に、暗証番号等の符号のみを用いた認証システムの安全性の補完として、生体情報による本人認証システムを併用するようにすることも出来る。
【００２５】
尚また、操作部１の機能を既存の操作パネルに組み込むことは自由である。
【００２６】
更に尚、本発明に係る蓋押え込み手段７及び蓋押え込み手段７を含めて盗難防止機構は、洗濯機、乾燥機がそれぞれ単体であっても、利用することが出来、また、これら以外の機器にも条件に応じて広範囲に利用出来ることは勿論である。
【図面の簡単な説明】
【００２７】
【図１】本発明に係る実施形態の一構成例を示す設明図、（ａ）操作部の一構成例を示す配置図、（ｂ）一構成例を示すブロック図
【図２】本発明に係る蓋押え込み手段の要部構成を示す外観斜視図
【図３】本発明に係る蓋押え込み手段の取り付け状態を示す説明図、（ａ）正面図、（ｂ）上から眺めた一部破断平面図
【図４】本発明に係る蓋押え込み手段の開閉動作の説明図、（ａ）閉動作にて蓋を押圧した状態を示す側断面図、（ｂ）開動作にて蓋を開けられる状態を示す側断面図
【図５】他の実施例を示す図
【符号の説明】
【００２８】
１  操作部
２  ランプ（ＬＥＤ発光体）
３  訂正ボタン
４  取消しボタン
５  リセットボタン
６  確認ボタン
７  蓋押え込み手段
７ａ  当接部
７ｂ  棹状体
７ｃ  緩衝バネ
７ｄ  電磁コイル
７ｅ  アーム部
７ｆ  回動支軸
７ｇ  プランジャー
８  取り付け部材
８ａ  取り付け孔
８ｂ  締結用ボルト
９  封印キャップ
１０  ＣＰＵ（中央処理装置）
１０ａ  メモリ（記憶手段）
１１  テンキー
２０  蓋
２１  ガラス窓部
２２把手
１００  バス
Ｂｚ  警報ブザー
ＷＭ  洗濯乾燥機本体
【図１】
2007068701.tif 000003
【図２】
2007068701.tif 000004
【図３】
2007068701.tif 000005
【図４】
2007068701.tif 000006
【図５】
2007068701.tif 000007